(57)【要約】      （修正有）【課題】簡略安価でありながら内部に収納する書類等の抜け落ちを確実に防止できるファイルを提供する。【解決手段】紙製で矩形状の表ファイル片２と裏ファイル片３との隣り合う２辺縁部を互いに接合し、残りの２辺は接合せずに開口状態として表ファイル片２、裏ファイル片３間に書類Ｐを収納する矩形状のファイル１であって、表ファイル片２、裏ファイル片３における接合しない各２辺が交わる両隅部領域２ｃ、３ｃのうちの裏ファイル片３の隅部領域３ｃに、表ファイル片２の隅部領域２ｃが嵌め込み可能な受穴部６を有する受け突片５を設け、表ファイル片２の隅部領域２ｃに小突片２ｄを設け、受け突片５を受穴部６の両側部を境として折り曲げることで、小突片２ｄを受穴部６に自動的に嵌め込み受け突片５を元の位置に戻すことで、小突片２ｄにより隅部領域を封止状態として収納する書類Ｐの抜け落ちを防止するように構成した。【選択図】図１
2010094935.tif 000002
【特許請求の範囲】
【請求項１】
紙製又は合成樹脂製で矩形状の表ファイル片と裏ファイル片との隣り合う２辺縁部を互いに接合し、残りの２辺は接合せずに開口状態として前記表ファイル片、裏ファイル片間に書類等を収納する矩形状のファイルであって、
前記表ファイル片、裏ファイル片における接合しない各２辺が交わる両隅部領域のうちの裏ファイル片の隅部領域に、表ファイル片の隅部領域が嵌め込み可能な受穴部を有し、かつ、受穴部の両側部を折り曲げ可能とした受け突片を設け、
前記表ファイル片の隅部領域に小突片を設け、
前記受け突片を受穴部の両側部を境として折り曲げることで、前記小突片の突出端により受穴部の周辺領域を押して膨らませつつ受穴部に自動的に嵌め込みその突出端を受け突片の裏面側に突出させるとともに、受け突片を元の位置に戻すことで、前記小突片により隅部領域を封止状態として収納する書類等の抜け落ちを防止するように構成したことを特徴とするファイル。
【請求項２】
Ａ３版サイズ、Ｂ４版サイズ、Ａ４版サイズ、Ａ５版サイズ、Ｂ５版サイズ等の各サイズから選定されるサイズの書類等を収納可能なサイズに形成したことを特徴とする請求項１記載のファイル。
【発明の詳細な説明】
【技術分野】
【０００１】
本発明は、ファイルに関し、詳しくは、簡略な構成で内部に収納する書類等の抜け落ちを確実に防止できるファイルに関するものである。
【背景技術】
【０００２】
従来、矩形状の表ファイル片と裏ファイル片との隣り合う２辺縁部を互いに接合し、残りの２辺は接合せずに開口状態として前記表ファイル片、裏ファイル片間に書類等を収納するように構成した紙製又は合成樹脂製の矩形状のファイルが提案され、実用に供されている。
【０００３】
この種のファイルにおいては、隣り合う２辺縁部は互いに綴じ合わされているものの、残りの２辺は綴じ合わされていないため、運搬時等においてファイルの開口部分から一旦収納した重要書類等が抜け落ち、紛失してしまう等の不都合な事態が多々生じている。
【０００４】
特許文献１には、１枚の透明ないし半透明合成樹脂シートにおける両側部を折り曲げ、中央部を基部とし、折り曲げられた側部を基部の左右方向中央部で重ねた状態とし、重ねられた下方に位置する一方の側部の下縁を基部に溶着などして綴じ部を形成し、綴じ部に連続する折り曲げ先端縁及び重ねられた上方に位置する他方の側部が基部から分離されて折畳み可能となって収納部を形成し、収納部に装填された紙類の脱落を防止するように構成した紙類ホルダーが提案されている。
【０００５】
この紙類ホルダーの場合、両側部の折り曲げ、側部の下縁と基部との溶着による綴じ部の形成等、やや複雑な構造を有するものであった。
【特許文献１】実用新案登録第３１２１００２号公報
【発明の開示】
【発明が解決しようとする課題】
【０００６】
本発明が解決しようとする問題点は、簡略構造でありながら内部に収納する書類等の抜け落ちを確実に防止できるファイルが存在しない点である。
【課題を解決するための手段】
【０００７】
本発明は、紙製又は合成樹脂製で矩形状の表ファイル片と裏ファイル片との隣り合う２辺縁部を互いに接合し、残りの２辺は接合せずに開口状態として前記表ファイル片、裏ファイル片間に書類等を収納する矩形状のファイルであって、前記表ファイル片、裏ファイル片における接合しない各２辺が交わる両隅部領域のうちの裏ファイル片の隅部領域に、表ファイル片の隅部領域が嵌め込み可能な受穴部を有し、かつ、受穴部の両側部を折り曲げ可能とした受け突片を設け、前記表ファイル片の隅部領域に小突片を設け、前記受け突片を受穴部の両側部を境として折り曲げることで、前記小突片の突出端により受穴部の周辺領域を押して膨らませつつ受穴部に自動的に嵌め込みその突出端を受け突片の裏面側に突出させるとともに、受け突片を元の位置に戻すことで、前記小突片により隅部領域を封止状態として収納する書類等の抜け落ちを防止するように構成したことを最も主要な特徴とする。
【発明の効果】
【０００８】
請求項１記載の発明によれば、受け突片を受穴部の両側部を境として折り曲げることで、表ファイル片の小突片の突出端により受穴部の周辺領域を押して膨らませつつ受穴部に自動的に嵌め込みその突出端を受け突片の裏面側に突出させるとともに、受け突片を元の位置に戻すことで、小突片により隅部領域を封止状態とするという簡略で安価に製作できる構成の基に、内部に収納する書類等の抜け落ちを確実に防止することができるファイルを提供することができる。
【０００９】
請求項２記載の発明によれば、請求項１記載の発明において、ファイル自体をＡ３版サイズ、Ｂ４版サイズ、Ａ４版サイズ、Ａ５版サイズ、Ｂ５版サイズ等の各サイズから選定されるサイズの書類等を収納可能なサイズとして、請求項１記載の発明の場合と同様、各々内部に収納する対応するサイズの書類等の抜け落ちを確実に防止することができるファイルを提供することができる。
【発明を実施するための最良の形態】
【００１０】
本発明は、簡略安価でありながら内部に収納する書類等の抜け落ちを確実に防止できるファイルを提供するという目的を有するものである。
【００１１】
本発明は、上述したように、紙製又は合成樹脂製で矩形状の表ファイル片と裏ファイル片との隣り合う２辺縁部を互いに接合し、残りの２辺は接合せずに開口状態として前記表ファイル片、裏ファイル片間に書類等を収納する矩形状のファイルであって、前記表ファイル片、裏ファイル片における接合しない各２辺が交わる両隅部領域のうちの裏ファイル片の隅部領域に、表ファイル片の隅部領域が嵌め込み可能な受穴部を有し、かつ、受穴部の両側部を折り曲げ可能とした受け突片を設け、前記表ファイル片の隅部領域に小突片を設け、前記受け突片を受穴部の両側部を境として折り曲げることで、前記小突片の突出端により受穴部の周辺領域を押して膨らませつつ受穴部に自動的に嵌め込みその突出端を受け突片の裏面側に突出させるとともに、受け突片を元の位置に戻すことで、前記小突片により隅部領域を封止状態として収納する書類等の抜け落ちを防止する構成により上記目的を実現した。
【実施例】
【００１２】
以下に、本発明の実施例に係るファイルについて図面を参照して詳細に説明する。
【００１３】
本発明の実施例に係るファイル１について図１乃至図５を参照して説明する。
【００１４】
本実施例に係るファイル１は、図１に示すように、例えば厚紙等の紙製からなる矩形状の表ファイル片２と裏ファイル片３との隣り合う２辺縁部（例えば、図１において左辺縁部、下辺縁部）を互いに接合し、残りの２辺縁部、すなわち、図１において右辺縁部２ａ、３ａ、上辺縁部２ｂ、３ｂは接合せずに開口状態として前記表ファイル片２、裏ファイル片３間に書類Ｐを収納する収納空間４を形成した全体として矩形状（長方形状）を呈する形態に構成している。
【００１５】
また、前記表ファイル片２、裏ファイル片３における接合しない各２辺が交わる両隅部領域２ｃ、３ｃのうちの裏ファイル片３側の隅部領域３ｃに、例えば外形が円弧状の受け突片５を設けている。
【００１６】
この受け突片５には、前記表ファイル片２側の隅部領域２ｃが嵌め込み可能な細長の受穴部６を設けている。
【００１７】
前記受け突片５の受穴部６は、前記ファイル１を真っすぐに立てたとき水平に対し例えば４５度の傾斜配置となるように形成している。
【００１８】
また、前記受穴部６の両側部には、例えば刃先を丸めた刃物等の押し付けにより形成した筋目等の手段によって受穴部６と同方向に折り曲げ部７ａ、７ｂを設け、折り曲げ部７ａ、７ｂを境として受け突片５の突出端５ａ側を前記表ファイル片２の隅部領域２ｃ上に折り曲げ可能に構成している。
【００１９】
前記表ファイル片２の隅部領域２ｃに、裏ファイル片３の隅部領域３ｃに設けた受け突片５の受穴部６に嵌め込む小突片２ｄを設けている。
【００２０】
次に、本実施例に係るファイル１における収納空間４への書類Ｐの収納及び受け突片５による書類Ｐの封止の態様について説明する。
【００２１】
まず、図１に示すように、書類Ｐをファイル１の収納空間４内に入れてファイル１内に収納した後、図３の上欄に示すように、前記表ファイル片２の小突片２ｄを受け突片５の受穴部６に臨ませる。
【００２２】
次に、図３の中欄及び図４に示すように、前記受け突片５の折り曲げ部７ａ、７ｂを境としてこの突出端５ａ側を表ファイル片２の小突片２ｄ、隅部領域２ｃ側に折り曲げる。
【００２３】
このとき、前記小突片２ｄの突出端２ｅにより、受け突片５の突出端５ａ側における受穴部６の周辺領域が押され膨らむ状態となり、さらに受け突片５の折り曲げを継続することで、受穴部６の周辺領域と前記小突片２ｄの突出端２ｅの位置が自動的に入れ替わり、その突出端２ｅが受穴部６に嵌め込まれ、さらに、受け突片５の裏面側に突出する状態となる。
【００２４】
この後、図３の下欄に示すように、受け突片５を元の位置に戻すことで、前記小突片２ｄにより隅部領域２ｃ、３ｃ間を封止する状態となり、これにより、内部に収納する書類Ｐの抜け落ちを確実に防止することができる。
【００２５】
尚、図５は、ファイル１の裏面側から見た前記受け突片５の状態を示すものである。
【００２６】
上述のようにして、前記ファイル１における両隅部領域２ｃ、３ｃの部分が封止された状態となり、このファイル１を運搬するような場合でも、ファイル１の開口部分から一旦収納した書類Ｐが抜け落ち、紛失してしまう等の不都合な事態を皆無とすることができる。
【００２７】
本実施例のファイル１によれば、表ファイル片２と裏ファイル片３の左辺縁部、下辺縁部を接合し、残りの２辺縁部は接合せずに開口状態として内部に収納空間４を形成し、裏ファイル片３の隅部領域３ｃに受穴部６付で折り曲げ可能な受け突片５を形成し、表ファイル片２の隅部領域２ｃに小突片２ｄを設けただけの簡略で安価に製作できる構成の基に、内部に収納する書類Ｐ等の抜け落ちを確実に防止することができる。
【００２８】
尚、前記ファイル１としては、図１、図２に示すように、表ファイル片２の一部に窓穴８を設け、内部の書類Ｐをファイル１の外部から視認し得るように構成することもできる。
【００２９】
また、前記ファイル１としては、Ａ３版サイズ、Ｂ４版サイズ、Ａ４版サイズ、Ａ５版サイズ、Ｂ５版サイズ等の各サイズから選定されるサイズの書類Ｐ等を収納可能なサイズに形成することができる。
【００３０】
さらに、前記ファイル１における表ファイル片２、裏ファイル片３の色彩としては、白色、黒色、青色、赤色、緑色等の各種色彩のものを採用可能である。
【００３１】
さらにまた、前記ファイル１としては、紙材を用いて形成する他、合成樹脂シート材を用いて上述した場合と同様に形成することもでき、この場合もその色彩としては、白色、黒色、青色、赤色、緑色等の各種色彩のものを採用可能である。
【産業上の利用可能性】
【００３２】
本発明に係るファイルは、各種書類の他、コンパクトディスク収納袋、ＤＶＤ収納袋等、各種シート状物体の収納用として広範に応用可能である。
【図面の簡単な説明】
【００３３】
【図１】本発明の実施例に係るファイルの書類収納直前の状態を示す概略斜視図である。
【図２】本実施例に係るファイルの書類収納状態を示す概略斜視図である。
【図３】本実施例に係るファイルにおける受け突片の受穴部への小突片の嵌め込み及び受け突片の折り曲げ、復元の過程を示す説明図である。
【図４】本実施例に係るファイルにおける受け突片の受穴部への小突片の嵌め込み状態を示す拡大説明図である。
【図５】本実施例に係るファイルの裏面側から見た受け突片、小突片の状態を示す部分斜視図である。
【符号の説明】
【００３４】
１    ファイル
１Ａ  ファイル
２    表ファイル片
２ａ  右辺縁部
２ｂ  上辺縁部
２ｃ  隅部領域
２ｄ  小突片
２ｅ  突出端
３    裏ファイル片
３ａ  右辺縁部
３ｂ  上辺縁部
３ｃ  隅部領域
４    収納空間
５    受け突片
５ａ  突出端
６    受穴部
７ａ  折り曲げ部
７ｂ  折り曲げ部
８    窓穴
Ｐ    書類
【図１】
2010094935.tif 000003
【図２】
2010094935.tif 000004
【図３】
2010094935.tif 000005
【図４】
2010094935.tif 000006
【図５】
2010094935.tif 000007